(57)【要約】【課題】室内の快適性をさらに向上させる。【解決手段】空調システム１０は、対流空調機本体２１及び放射空調機本体３１と、対流空調ダクト２２と、送風口２５と、放射空調ダクト３３と、放射パネル３５と、連通部４０と、連通ダンパー４１と、を備える。対流空調機本体２１及び放射空調機本体３１は、温度調整がなされた風Ｗ１、Ｗ２を送り出す。対流空調ダクト２２は、対流空調機本体２１に接続されて、風Ｗ１が導入される。送風口２５は、対流空調ダクト２２に設けられて、室内に風Ｗ１を供給する。放射空調ダクト３３は、放射空調機本体３１に接続されて、風Ｗ２が導入される。放射パネル３５は、放射空調ダクト３３に設けられ、風Ｗ２により加熱又は冷却されることで室内に放射熱を発する。連通部４０は、対流空調ダクト２２と放射空調ダクト３３とを連通する。連通ダンパー４１は、連通部４０を開閉する。【選択図】図１
2020134074.tif 000002
【特許請求の範囲】
【請求項１】
温度調整がなされた風を送り出す第一空調機本体及び第二空調機本体と、
前記第一空調機本体に接続されて、前記風が導入される第一ダクトと、
前記第一ダクトに設けられて、室内に前記風を供給する送風口と、
前記第二空調機本体に接続されて、前記風が導入される第二ダクトと、
前記第二ダクトに設けられ、前記風により加熱又は冷却されることで前記室内に熱を放射する放射パネルと、
前記第一ダクトと前記第二ダクトとを連通する連通部と、
前記連通部を開閉する開閉部と、を備える
空調システム。
【請求項２】
前記第一ダクトに設けられ、前記送風口に供給される前記風の流量を調整する第一流量調整部と、
前記第二ダクトに設けられ、前記放射パネルに供給される前記風の流量を調整する第二流量調整部と、をさらに備える
請求項１に記載の空調システム。
【請求項３】
前記送風口に設けられ、前記送風口から前記室内に供給された風を、前記室内の内面に沿って前記放射パネルが設けられた側に案内する案内部、をさらに備える
請求項１又は２に記載の空調システム。
【請求項４】
前記第二ダクトを通して前記放射パネルに供給された風を前記室内に供給するパネル側送風口をさらに備える
請求項１から３の何れか一項に記載の空調システム。
【請求項５】
前記開閉部の開閉動作を制御する制御部をさらに備え、
前記制御部は、前記第一空調機本体及び前記第二空調機本体の何れか一方で前記風の供給が停止された場合、前記開閉部を開く
請求項１から４の何れか一項に記載の空調システム。
【請求項６】
前記第一空調機本体及び前記第二空調機本体のそれぞれの故障発生を検知するための検知部をさらに備え、
前記制御部は、前記第一空調機本体及び前記第二空調機本体の何れか一方に故障が発生したことを前記検知部からの検知信号に基づいて検知した場合、前記開閉部を開く
請求項５に記載の空調システム。
【請求項７】
請求項１から４の何れか一項に記載の空調システムを制御する空調システムの制御装置であって、
前記第一空調機本体及び前記第二空調機本体の運転状態を判定する運転状態判定部と、
前記運転状態判定部で判定された前記第一空調機本体及び前記第二空調機本体の運転状態に基づき、前記開閉部の開閉動作を制御する開閉制御部と、
を備える空調システムの制御装置。
【発明の詳細な説明】
【技術分野】
【０００１】
この発明は、空調システム、空調システムの制御装置に関する。
【背景技術】
【０００２】
放射パネル（ふく射パネル）を用いた放射空調装置は、室内機で温度調整した空気をダクトに通過させ、放射パネルを加熱または冷却する。放射パネルから室内空間に熱が放射されることで、室内空間の放射空調がなされる。
このような放射空調装置は、室内機で温度調整した空気を室内に吹き出す対流式空調装置に比較すると、運転開始時の室内温度変化速度が低い。そのため、室内が所定の設定温度に到達するまでの立ち上がりに時間が掛かる。
【０００３】
これに対し、例えば特許文献１には、対流式空調装置（室内空調手段）と、放射空調装置（放射空調手段）と、対流式空調装置と放射空調装置を切り替え可能な切り替え手段とを備えた構成が開示されている。このような構成によれば、冷暖房が必要な時は、対流式空調装置で一気に室内空調する。快適温度に到達して室内空調が安定したら、空調切り替え操作手段により放射空調装置に切り替え、放射空調によって室温を維持する。これにより、立ち上がりは短時間で室内空調ができ、快適な温度になれば後は放射空調で無気流の快適な室内空調ができる。
【先行技術文献】
【特許文献】
【０００４】
【特許文献１】特開２００８−２０１２８号公報
【発明の概要】
【発明が解決しようとする課題】
【０００５】
ところで、特許文献１に開示されたような構成において、対流式空調装置及び放射空調装置の何れか一方が故障した場合には、対流式空調装置及び放射空調装置の他方で空調運転を継続することができる。
しかし、対流式空調装置のみで空調運転を継続した場合、対流式空調装置で温度調整された調和空気が吹き出して室内に気流が生成される。室内の利用者によっては、気流を不快であると感じる場合もあり、室内の快適性が低下してしまう。
また、放射空調装置のみで空調運転を継続した場合、運転開始時の立ち上がりに時間が掛かる。さらに、冷房運転時、放射空調のみの場合、冷房運転時に、放射パネルの表面に結露が生じる場合もある。したがって、この場合においても、室内の快適性が低下してしまうことがある。
この発明は、上記事情に鑑みてなされたものであり、室内の快適性をさらに向上させることができる空調システム、空調システムの制御装置を提供することを目的とする。
【課題を解決するための手段】
【０００６】
この発明は、上記課題を解決するため、以下の手段を採用する。
この発明の第一態様によれば、空調システムは、第一空調機本体及び第二空調機本体と、第一ダクトと、送風口と、第二ダクトと、放射パネルと、連通部と、開閉部と、を備える。第一空調機本体及び第二空調機本体は、温度調整がなされた風を送り出す。前記第一ダクトは、前記第一空調機本体に接続されて、前記風が導入される。前記送風口は、前記第一ダクトに設けられて、室内に前記風を供給する。前記第二ダクトは、前記第二空調機本体に接続されて、前記風が導入される。前記放射パネルは、前記第二ダクトに設けられ、前記風により加熱又は冷却されることで前記室内に熱を放射する。前記連通部は、前記第一ダクトと前記第二ダクトとを連通する。前記開閉部は、前記連通部を開閉する。
【０００７】
このように構成することで、第一空調機本体から送り出された風は、第一ダクトを通り、送風口から室内に供給される。第二空調機本体から送り出された風は、第二ダクトを通り、放射パネルを加熱又は冷却する。加熱又は冷却された放射パネルは、放射により室内を加熱又は冷却する。開閉部により連通部を開くと、第一ダクトと第二ダクトとが連通する。
例えば、故障等によって第一空調機本体からの風の供給が停止された場合、連通部を開いて第一ダクトと第二ダクトとを連通させると、第二空調機本体から送り出された風の一部は、連通部を通して第一ダクトに流れ込む。これにより、第二空調機本体から送り出された風を、送風口から室内に供給することができる。また、故障等によって第二空調機本体からの風の供給が停止された場合、連通部を開いて第一ダクトと第二ダクトとを連通させると、第一空調機本体から送り出された風の一部は、連通部を通して第二ダクトに流れ込む。これにより、放射パネルは、第一空調機本体から送り出された風によって加熱又は冷却され、室内の放射空調が行われる。
また、空調システムの運転開始時には、第一空調機本体から送り出された風を、第一ダクトを通して送風口から室内に供給するとともに、第二空調機本体から送り出された風を、第二ダクトを通して放射パネルを加熱又は冷却する。これにより、室内の温度を効率良く調整することができ、立ち上がりが早くなる。
このように、故障発生時や運転開始時における、室内の快適性をさらに向上させることができる。
【０００８】
この発明の第二態様によれば、第一態様に係る空調システムは、第一流量調整部と、第二流量調整部と、をさらに備えるようにしてもよい。前記第一流量調整部は、前記第一ダクトに設けられ、前記送風口に供給される前記風の流量を調整する。前記第二流量調整部は、前記第二ダクトに設けられ、前記放射パネルに供給される前記風の流量を調整する。
このように構成することで、連通部を開いて第一ダクトと第二ダクトとを連通させた状態で、第一流量調整部、第二流量調整部で流量調整を行うと、連通部を通る風の量を調整することができる。
例えば、故障等によって第一空調機本体からの風の供給が停止された場合、連通部を開くとともに、第二流量調整部における流量を少なくする。すると、第二空調機本体から第二ダクトを通して放射パネルに流れる風の流量が減る。これに対し、連通部を通して第二ダクトから第一ダクトに送り込まれ、送風口に供給される風の流量は増える。これにより、送風口から室内に供給される風の量を増加させることができる。
また例えば、故障等によって第二空調機本体からの風の供給が停止された場合、連通部を開くとともに、第一流量調整部における風の流量を少なくする。すると、第一空調機本体から第一ダクトを通して送風口に流れる風の流量が減る。これに対し、連通部を通して第一ダクトから第二ダクトに送り込まれ、放射パネルに供給される風の流量が増える。これにより、放射パネルに付与する熱量を高めることができる。
【０００９】
この発明の第三態様によれば、第一又は第二態様に係る空調システムは、前記送風口に設けられ、前記送風口から前記室内に供給された風を、前記室内の内面に沿って前記放射パネルが設けられた側に案内する案内部、をさらに備えるようにしてもよい。
このように構成することで、案内部により、送風口から室内に供給された風を、室内の内面に沿って放射パネルが設けられた側に案内すると、放射パネルの結露が防止される。
【００１０】
この発明の第四態様によれば、第一から第三態様の何れか一つの態様に係る空調システムは、前記第二ダクトを通して前記放射パネルに供給された風を前記室内に供給するパネル側送風口をさらに備えるようにしてもよい。
このように構成することで、放射パネルを加熱又は冷却した風をパネル側送風口から室内に供給することで、熱エネルギーを有効利用し、空調効率を高めることができる。
【００１１】
この発明の第五態様によれば、第一から第四態様の何れか一つの態様に係る空調システムは、前記開閉部の開閉動作を制御する制御部をさらに備えるようにしてもよい。前記制御部は、前記第一空調機本体及び前記第二空調機本体の何れか一方で前記風の供給が停止された場合、前記開閉部を開くようにしてもよい。
このように構成することで、第一空調機本体及び第二空調機本体の何れか一方に故障等が生じた場合、制御部で開閉部を開くことで、第一ダクトと第二ダクトとを自動的に連通させることができる。これにより、第一空調機本体からの風の供給が停止された場合であっても、第二空調機本体から送り出された風が送風口から室内に供給される。また、第二空調機本体からの風の供給が停止された場合であっても、第一空調機本体から送り出された風によって放射パネルが加熱又は冷却され、室内の放射空調が行われる。
【００１２】
この発明の第六態様によれば、第五態様に係る空調システムは、前記第一空調機本体及び前記第二空調機本体のそれぞれの故障発生を検知するための検知部をさらに備えるようにしてもよい。前記制御部は、前記第一空調機本体及び前記第二空調機本体の何れか一方に故障が発生したことを前記検知部からの検知信号に基づいて検知した場合、前記開閉部を開くようにしてもよい。
このように構成することで、第一空調機本体、第二空調機本体の故障発生を検知部で自動的に検知し、制御部で開閉部を開くことができる。
【００１３】
この発明の第七態様によれば、空調システムの制御装置は、第一から第四態様の何れか一つの態様に係る空調システムを制御する空調システムの制御装置であって、運転状態判定部と、開閉制御部と、を備える。前記運転状態判定部は、前記第一空調機本体及び前記第二空調機本体の運転状態を判定する。前記開閉制御部は、前記運転状態判定部で判定された前記第一空調機本体及び前記第二空調機本体の運転状態に基づき、前記開閉部の開閉動作を制御する。
このように構成することで、運転状態判定部は、第一空調機本体及び第二空調機本体の運転状態、例えば、第一空調機本体及び第二空調機本体の何れか一方に故障等が生じた場合や、運転開始時等であることを判定する。開閉制御部は、運転状態判定部が検知した第一空調機本体及び第二空調機本体の運転状態に基づいて、開閉制御部で開閉部を開くことで、第一ダクトと第二ダクトとを自動的に連通させることができる。
【発明の効果】
【００１４】
上記空調システム、空調システムの制御装置によれば、室内の快適性をさらに向上させることができる。
【図面の簡単な説明】
【００１５】
【図１】この発明の一実施形態における空調システムの概略構成を示す模式図である。
【図２】この発明の実施形態における制御装置の構成を示すブロック図である。
【図３】上記制御装置における空調装置部の制御の流れを示すフローチャートである。
【図４】上記空調システムにおいて、運転開始時における風の流れを示す図である。
【図５】上記空調システムにおいて、対流空調機本体が故障した場合における風の流れを示す図である。
【図６】上記空調システムにおいて、放射空調機本体が故障した場合における風の流れを示す図である。
【発明を実施するための形態】
【００１６】
以下、この発明の一実施形態における空調システム、空調システムの制御装置を図面に基づき説明する。
図１は、この実施形態における空調システムの概略構成を示す模式図である。
図１に示すように、この実施形態の空調システム１０は、空調装置部１１と、制御装置５０と、を備える。
【００１７】
空調装置部１１は、対流空調装置２０と、放射空調装置３０と、連通部４０と、を主に備える。空調システム１０は、建物に設けられた室２の内面、例えば天井、床、壁等に設けられている。この実施形態では、空調システム１０は、室２の天井３に設けられている。
【００１８】
対流空調装置２０は、対流空調機本体（第一空調機本体）２１と、対流空調ダクト（第一ダクト）２２と、送風口２５と、を備えている。
【００１９】
対流空調機本体２１は、室内熱交換器２１ａと、送風ファン２１ｂと、を有する。室内熱交換器２１ａ、及び送風ファン２１ｂは、対流空調機本体２１の筐体２１ｃに収容されている。対流空調機本体２１は、天井３に設けられた吸込口２１ｄから室２内の空気を吸い込む。室内熱交換器２１ａは、室外機（図示無し）から供給された冷媒と空気とを熱交換することで、吸い込んだ空気を加熱又は冷却する。送風ファン２１ｂは、室内熱交換器２１ａにより加熱又は冷却されることで温度調整がなされた空気による風Ｗ１を、対流空調ダクト２２内に送り出す。
【００２０】
対流空調ダクト２２の一端は、対流空調機本体２１に接続されている。対流空調ダクト２２は、対流空調機本体２１から送り出される風Ｗ１が導入される。
【００２１】
送風口２５は、対流空調ダクト２２の他端に形成されている。送風口２５は、天井３に開口している。
【００２２】
放射空調装置３０は、放射空調機本体（第二空調機本体）３１と、放射空調ダクト（第二ダクト）３３と、放射パネル３５と、を備えている。
【００２３】
放射空調機本体３１は、室内熱交換器３１ａと、送風ファン３１ｂと、を有する。室内熱交換器３１ａ、及び送風ファン３１ｂは、放射空調機本体３１の筐体３１ｃに収容されている。放射空調機本体３１は、天井３に設けられた吸込口３１ｄから室２内の空気を吸い込む。室内熱交換器３１ａは、室外機（図示無し）から供給された冷媒と空気とを熱交換することで、吸い込んだ空気を加熱又は冷却する。送風ファン３１ｂは、室内熱交換器３１ａにより加熱又は冷却されることで温度調整がなされた空気による風Ｗ２を、放射空調ダクト３３内に送り出す。この実施形態において、放射空調機本体３１は、対流空調機本体２１に対し、天井３の表面に沿った水平方向において第一側に配置されている。
【００２４】
放射空調ダクト３３の一端は、放射空調機本体３１に接続されている。放射空調ダクト３３には、放射空調機本体３１から送り出される風Ｗ２が導入される。放射空調ダクト３３の延伸方向の一部３３ｃは、対流空調ダクト２２と並行して設けられている。放射空調ダクト３３の他端には、放射パネル３５が収容されるパネル収容空間３３ｓが形成されている。
【００２５】
放射パネル３５は、パネル収容空間３３ｓ内に設けられている。放射パネル３５は、天井３の表面の面内で、送風口２５に対し間隔をあけて設けられている。放射パネル３５は、放射空調ダクト３３を流れてきた風Ｗ２により加熱又は冷却される。この実施形態において、放射パネル３５は、その下面３５ｂが、室２内に臨むように設けられ、天井３の表面の一部を形成している。
【００２６】
この実施形態において、平面視における放射パネル３５の外形は、直方体形状とされている。放射パネル３５内部には、中空部３５ｓが形成されている。放射パネル３５は、放射空調ダクト３３を流れてきた風Ｗ２を中空部３５ｓ内に導入するための空気導入口（図示無し）を有する。
【００２７】
放射パネル３５は、空気導入口から中空部３５ｓ内に流れ込んだ風Ｗ２により加熱又は冷却される。加熱又は冷却された放射パネル３５は、その熱を室２内に放射する。また、放射パネル３５の中空部３５ｓ内に流れ込んだ風Ｗ２は、下面３５ｂに形成された空気導出口（パネル側送風口）３５ｅから室２内に供給される。
【００２８】
ここで、放射パネル３５は、室２内に臨む下面３５ｂに、複数の空気導出口３５ｅを有する。放射パネル３５の下面３５ｂは、多孔板のように形成し、空気導出口３５ｅを多数形成するようにしてもよい。これにより、空気導出口３７ｅから室２内に供給される風Ｗ２’は、風速（風量）の僅かな微風となり、室２内の利用者にとって感じ難くなる。
【００２９】
前記パネル収容空間３３ｓには、室２内に連通するパネル側送風口３７が設けられている。パネル側送風口３７は、放射空調ダクト３３から放射パネル３５の中空部３５ｓ内に流れ込まなかった残りの風Ｗ２を、室２内に供給する。
【００３０】
連通部４０は、対流空調ダクト２２と放射空調ダクト３３とを、対流空調ダクト２２と放射空調ダクト３３の一部３３ｃとの並行する部分で連通する。
【００３１】
連通部４０には、連通部４０を開閉する連通ダンパー（開閉部）４１が設けられている。連通ダンパー４１で連通部４０を閉じた状態では、対流空調ダクト２２と放射空調ダクト３３とは区画されている。連通ダンパー４１で連通部４０を開くと、連通部４０を通して、対流空調ダクト２２と放射空調ダクト３３とが連通する。
【００３２】
また、空調装置部１１は、第一ダンパー（第一流量調整部、案内部）４３、及び第二ダンパー（第二流量調整部）４５をさらに備える。
第一ダンパー４３は、送風口２５に設けられている。第一ダンパー４３は、対流空調ダクト２２に設けられている。第一ダンパー４３は、第一ダンパー４３の風Ｗ１の流れ方向において、連通ダンパー４１よりも下流側に設けられている。第一ダンパー４３は、送風口２５に供給される風Ｗ１の流量を調整する。
この実施形態において、第一ダンパー４３は、板状（フラップ状）で、一端４３ａから他端４３ｂに向かって下方に傾斜している。第一ダンパー４３は、対流空調ダクト２２を流れてきた風の少なくとも一部を、天井面（内面）３ｆに沿って放射パネル３５側に案内する。
【００３３】
第二ダンパー４５は、放射空調ダクト３３に設けられている。第二ダンパー４５は、第二ダンパー４５の流れ方向において連通ダンパー４１よりも下流側に設けられている。第二ダンパー４５は、放射パネル３５に供給される風Ｗ２の流量を調整する。
【００３４】
図２は、この発明の実施形態における制御装置の構成を示すブロック図である。
制御装置５０は、空調装置部１１の連通ダンパー４１、第一ダンパー４３、第二ダンパー４５の開閉動作を制御する。この実施形態で例示する制御装置５０は、空調システム１０全体の動作を制御するコントローラの一部として備えられていてもよいし、コントローラとは別に設けられていてもよい。
【００３５】
制御装置５０は、入出力インターフェース（Ｉ／Ｆ）５１と、メモリ５２と、記憶装置５３と、制御処理部５４と、を主に備える。
【００３６】
入出力インターフェース（Ｉ／Ｆ）５１は、空調装置部１１が接続される。メモリ５２は、ワークエリア等として利用される。
【００３７】
記憶装置５３は、演算プログラム記憶部５３１と、ＯＳプログラム記憶部５３２と、支援情報記憶部５３３と、を主に備えている。
【００３８】
演算プログラム記憶部５３１は、制御処理部５４で実行する演算プログラムを記憶する記憶領域である。
ＯＳプログラム記憶部５３２は、ＯＳ（Operating System）プログラムを予め記憶する記憶領域である。
【００３９】
支援情報記憶部５３３は、対流空調機本体２１、放射空調機本体３１の運転状態の情報に基づいて、連通ダンパー４１、第一ダンパー４３、及び第二ダンパー４５を開閉させるための支援情報を記憶する領域である。支援情報としては、例えば、対流空調機本体２１、放射空調機本体３１における故障発生の有無と、連通ダンパー４１、第一ダンパー４３、及び第二ダンパー４５の開閉状態との関係を示すマップ、テーブル、及び、数式等を例示できる。
【００４０】
支援情報、演算プログラム、および、ＯＳプログラムは、記憶装置５３に記憶される。
【００４１】
制御処理部５４は、各種演算を行うＣＰＵ（Central Processing Unit；図示せず）を備えている。制御処理部５４は、演算プログラムを実行することで実現される複数の機能部として、運転状態判定部５６と、開閉制御部（制御部）５７と、を備える。
【００４２】
運転状態判定部５６は、対流空調機本体２１及び放射空調機本体３１の運転状態を検知する。このため、図１に示すように、空調装置部１１は、センサ（検知部）５８、５９を備える。センサ５８、５９は、対流空調機本体２１、放射空調機本体３１の各部の状態を検知する。センサ５８，５９からの検知信号は、入出力インターフェース（Ｉ／Ｆ）５１に伝達される。
運転状態判定部５６は、センサ５８、５９からの検知信号に基づき、対流空調機本体２１、放射空調機本体３１の故障発生を検知する。故障発生の有無は、例えば、風Ｗ１、Ｗ２の風量等に基づき判断することができる。
【００４３】
開閉制御部５７は、運転状態判定部５６で検知された対流空調機本体２１及び放射空調機本体３１の運転状態に基づき、連通ダンパー４１の開閉動作を制御する。開閉制御部５７は、対流空調機本体２１及び放射空調機本体３１の何れか一方において、風Ｗ１、Ｗ２の供給が停止された場合、連通ダンパー４１を開く制御を行う。また、開閉制御部５７は、空調システム１０の運転開始時に、連通ダンパー４１を開く制御を行う。
【００４４】
次に、上記したような空調システム１０の運転方法について説明する。
図３は、上記制御装置における空調装置部の制御の流れを示すフローチャートである。図４は、上記空調システムにおいて、運転開始時における風の流れを示す図である。
空調システム１０が運転を開始すると、空調システム１０のコントローラ（図示無し）の制御により、対流空調機本体２１と、放射空調機本体３１の双方が作動する。
図３に示すように、制御装置５０は、演算プログラムに基づいて実行される一連の処理をスタートする。空調システム１０の運転が開始されると、制御装置５０の開閉制御部５７は、連通ダンパー４１を「開」、第一ダンパー４３、及び第二ダンパー４５を「開」とする指令信号を、入出力インターフェース（Ｉ／Ｆ）５１を介して空調装置部１１に出力する（ステップＳ１）。
【００４５】
すると、図４に示すように、指令信号を受けた空調装置部１１は、連通ダンパー４１、第一ダンパー４３、及び第二ダンパー４５をそれぞれ開く。
この状態で、第一ダンパー４３が開いているので、対流空調機本体２１から送り出された風Ｗ１は、対流空調ダクト２２を通り、送風口２５から室２内に供給され、室２内を対流空調により空気調和する。また、第二ダンパー４５が開いているので、放射空調機本体３１から送り出された風Ｗ２は、放射空調ダクト３３を通って放射パネル３５に供給され、放射パネル３５を加熱又は冷却する。加熱又は冷却された放射パネル３５により、室２内に熱が放射され、室２内が空気調和される。このようにして、対流空調と放射空調とを組み合わせることで、対流空調機本体２１による対流空調のみを実行する場合に比較し、空調効率が高まる。
また、連通ダンパー４１が開いているので、放射空調機本体３１から送り出された風Ｗ２の一部は、連通部４０を通って対流空調ダクト２２に流れ込む。対流空調ダクト２２内で、風Ｗ２は風Ｗ１に合流し、送風口２５から室２内に供給される。これにより、対流空調により室２内に供給される風Ｗ１の量を増やし、運転開始時における空調効率が高められる。
【００４６】
運転開始後、開閉制御部５７は、所定の条件を満たしたか否かを一定時間間隔毎に判定する（ステップＳ２）。ここで、所定の条件としては、例えば、運転開始後から予め定めた時間が経過したか否か、室２内の温度の変化量が運転開始後から予め定めた値に到達したか否か、等がある。
ステップＳ２で、所定の条件を満たさなければ、一定時間間隔毎に処理を繰り返す。
ステップＳ２で、所定の条件を満たした場合、開閉制御部５７は、連通ダンパー４１を「閉」とする指令信号を出力する（ステップＳ３）。
【００４７】
指令信号を受けた空調装置部１１は、図１に示すように、連通ダンパー４１を閉じる。
この状態で、対流空調機本体２１から送り出された風Ｗ１は、対流空調ダクト２２のみを通り、送風口２５から室２内に供給され、室２内を対流空調により空気調和する。また、放射空調機本体３１から送り出された風Ｗ２は、放射空調ダクト３３のみを通って放射パネル３５に供給され、放射パネル３５を加熱又は冷却する。加熱又は冷却された放射パネル３５により、室２内に熱が放射され、室２内が空気調和される。さらに、放射空調ダクト３３を通って放射パネル３５に供給される風Ｗ２は、放射パネル３５の空気導出口３７ｅ、及びパネル側送風口３７を通って、送風口２５から室２内に供給される。
【００４８】
この後、運転状態判定部５６は、センサ５８，５９からの検知信号に基づき、対流空調機本体２１及び放射空調機本体３１の運転状態を監視する。具体的には、運転状態判定部５６は、対流空調機本体２１又は放射空調機本体３１に故障が発生したか否かを、一定時間間隔毎に判定する（ステップＳ４、Ｓ５）。
対流空調機本体２１、放射空調機本体３１の双方に故障が発生していなければ、ステップＳ４、Ｓ５を所定時間毎に繰り返す。
【００４９】
対流空調機本体２１に故障が発生したと判定された場合、開閉制御部５７は、連通ダンパー４１を「開」とする指令信号を、入出力インターフェース（Ｉ／Ｆ）５１を介して空調装置部１１に出力する（ステップＳ６）。
【００５０】
図５は、上記空調システムにおいて、対流空調機本体が故障した場合における風の流れを示す図である。
指令信号を受けた空調装置部１１は、連通ダンパー４１を開く。
この状態で、図５に示すように、対流空調機本体２１からは、風Ｗ１が送り出されない。放射空調機本体３１から送り出された風Ｗ２の一部は、放射空調ダクト３３から連通部４０を通して対流空調ダクト２２に流入する。流入した風Ｗ２は、送風口２５から室２内に供給され、室２内を対流空調により空気調和する。また、放射空調機本体３１から送り出された風Ｗ２の残部は、放射空調ダクト３３を通って放射パネル３５に供給され、放射パネル３５を加熱又は冷却する。加熱又は冷却された放射パネル３５により、室２内に熱が放射され、室２内が空気調和される。さらに、放射空調ダクト３３を通って放射パネル３５に供給される風Ｗ２は、放射パネル３５の空気導出口３７ｅ、及びパネル側送風口３７を通って、送風口２５から室２内に供給される。
【００５１】
このとき、放射空調機本体３１の空調能力に余力があれば、放射空調機本体３１における空調能力を高めて運転を行うのが好ましい。これにより、送風口２５から室２内に供給される風の量、及び、放射パネル３５から室２内に放射される熱の量の低下を抑えることができる。
また、この場合、第二ダンパー４５を、全開状態よりも開度を小さくしてもよい（第二ダンパー４５を閉じしてもよい）。これにより、第二ダンパー４５における流量が少なくなる。すると、放射空調機本体３１から放射空調ダクト３３を通して放射パネル３５に流れる風Ｗ２の流量が減る。これに対し、連通部４０を通して放射空調ダクト３３から対流空調ダクト２２に送り込まれ、送風口２５に供給される風Ｗ２の流量が増える。これにより、送風口２５から室内に供給される風Ｗ２の量を増加させることができる。
【００５２】
放射空調機本体３１に故障が発生したと判定された場合、開閉制御部５７は、連通ダンパー４１を「開」とする指令信号を、入出力インターフェース（Ｉ／Ｆ）５１を介して空調装置部１１に出力する（ステップＳ７）。
【００５３】
図６は、上記空調システムにおいて、放射空調機本体が故障した場合における風の流れを示す図である。
指令信号を受けた空調装置部１１は、連通ダンパー４１を開く。
この状態で、図６に示すように、放射空調機本体３１からは、風Ｗ２が送り出されない。対流空調機本体２１から送り出された風Ｗ１の一部は、対流空調ダクト２２から連通部４０を通して放射空調ダクト３３に流入する。流入した風Ｗ１は、放射空調ダクト３３を通って放射パネル３５に供給され、放射パネル３５を加熱又は冷却する。加熱又は冷却された放射パネル３５により、室２内に熱が放射され、室２内が空気調和される。さらに、放射空調ダクト３３を通って放射パネル３５に供給される風Ｗ１は、放射パネル３５の空気導出口３７ｅ、及びパネル側送風口３７を通って、送風口２５から室２内に供給される。また、対流空調機本体２１から送り出された風Ｗ１の残部は、対流空調ダクト２２を通って送風口２５から室２内に供給され、室２内を対流空調により空気調和する。
さらに、冷房運転時であれば、第一ダンパー４３の開度（角度）を調整することで、送風口２５から送り出される風Ｗ１を、室２内の天井面３ｆに沿って放射パネル３５が設けられた側に案内するようにしてもよい。これにより、除湿された空気を放射パネル３５に沿って流すことで、放射パネル３５の結露が防止される。
【００５４】
このときも、対流空調機本体２１の空調能力に余力があれば、対流空調機本体２１における空調能力を高めて運転を行うのが好ましい。これにより、送風口２５から室２内に供給される風の量、及び、放射パネル３５から室２内に放射される熱の量の低下を抑えることができる。
また、この場合、第一ダンパー４３の開度を全開状態よりも小さくしてもよい。これにより、第一ダンパー４３における風Ｗ１の流量を少なくする。すると、対流空調機本体２１から対流空調ダクト２２を通して送風口２５に流れる風Ｗ１の流量が減る。連通部４０を通して対流空調ダクト２２から放射空調ダクト３３に送り込まれ、放射パネル３５に供給される風Ｗ１の流量が増える。これにより、放射パネル３５に付与する熱量を高めることができ、放射パネル３５における空調効率を高めることができる。
【００５５】
上記一連の処理は、空調システム１０の運転が終了されるまで繰り返される。
【００５６】
したがって、上述した実施形態の空調システム１０によれば、故障等によって対流空調機本体２１からの風Ｗ１の供給が停止された場合、連通部４０を開いて対流空調ダクト２２と放射空調ダクト３３とを連通させる。これによって、放射空調機本体３１から送り出された風Ｗ２の一部を対流空調ダクト２２に送り込むことができる。これにより、送風口２５からは、放射空調機本体３１から送り出された風Ｗ２が室内に供給される。また、放射空調機本体３１からの風Ｗ２の供給が停止された場合、連通部４０を開いて対流空調ダクト２２と放射空調ダクト３３とを連通させる。これによって、対流空調機本体２１から送り出された風Ｗ１の一部を、連通部４０を通して放射空調ダクト３３に送り込むことができる。これにより、放射パネル３５は、対流空調機本体２１から送り出された風Ｗ２によって加熱又は冷却され、室内の放射空調が行われる。
また、空調システム１０の運転開始時には、対流空調機本体２１による対流空調、及び放射空調機本体３１による放射空調の双方を実行することで、室２内の温度を効率良く調整することができ、立ち上がりが早くなる。
このようにして、故障発生時や運転開始時における、室内の快適性をさらに向上させることができる。
【００５７】
また、連通部４０を開いて対流空調ダクト２２と放射空調ダクト３３とを連通させた状態で、第一ダンパー４３、第二ダンパー４５で流量調整を行うと、連通部４０を通る風Ｗ１、Ｗ２の量を調整することができる。
【００５８】
また、冷房運転時に、第一ダンパー４３により、送風口２５から室２内に供給された風Ｗ２を、室２内の天井面３ｆに沿って放射パネル３５が設けられた側に案内することで、放射パネル３５の結露が防止される。
【００５９】
また、放射パネル３５を加熱又は冷却する風Ｗ２を、放射パネル３５の空気導出口３７ｅ、及びパネル側送風口３７から室内に供給することで、熱エネルギーを有効利用し、空調効率を高めることができる。
【００６０】
また、対流空調機本体２１及び放射空調機本体３１の何れか一方に故障等が生じた場合、制御装置５０の開閉制御部５７で連通ダンパー４１を開くことで、対流空調ダクト２２と放射空調ダクト３３とを自動的に連通させることができる。
【００６１】
また、対流空調機本体２１、放射空調機本体３１の故障発生をセンサ５８、５９の検知信号に基づいて自動的に検知することで、制御装置５０で連通ダンパー４１を自動的に開くことができる。
【００６２】
空調システムの制御装置５０は、運転状態判定部５６が検知した対流空調機本体２１及び放射空調機本体３１の運転状態に基づいて、開閉制御部５７で連通ダンパー４１を開くことで、対流空調ダクト２２と放射空調ダクト３３とを自動的に連通させることができる。したがって、対流空調機本体２１及び放射空調機本体３１の何れか一方に故障等が生じた場合や、運転開始時等であっても、室２内の快適性をさらに向上させることができる。
【００６３】
（その他の変形例）
なお、この発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
例えば、上記実施形態では、対流空調ダクト２２、放射空調ダクト３３のレイアウトを図示したが、その形状や配置は一例に過ぎない。対流空調ダクト２２と放射空調ダクト３３とは、その一部において、連通部４０によって連通していれば、他のいかなるレイアウトとしてもよい。
【００６４】
また、上記実施形態では、第一ダンパー４３により、送風口２５から室２内に供給された風Ｗ１を、室２内の天井面３ｆに沿って放射パネル３５が設けられた側に案内するようにしたが、これに限らない。対流空調ダクト２２の流量を調整する第一ダンパー４３とは別に、送風口２５から室２内に供給された風Ｗ１を、室２内の天井面３ｆに沿って放射パネル３５が設けられた側に案内する部材を案内部としても設けてもよい。
【符号の説明】
【００６５】
１  建物
２  室
３  天井
３ｆ  天井面（内面）
１０  空調システム
１１  空調装置部
２０  対流空調装置
２１  対流空調機本体（第一空調機本体）
２１ａ  室内熱交換器
２１ｂ  送風ファン
２１ｃ  筐体
２１ｄ  吸込口
２２  対流空調ダクト（第一ダクト）
２５  送風口
３０  放射空調装置
３１  放射空調機本体（第二空調機本体）
３１ａ  室内熱交換器
３１ｂ  送風ファン
３１ｃ  筐体
３１ｄ  吸込口
３３  放射空調ダクト（第二ダクト）
３３ｃ  一部
３３ｓ  パネル収容空間
３５  放射パネル
３５ｂ  下面
３５ｓ  中空部
３７  パネル側送風口
３７ｅ  空気導出口（パネル側送風口）
４０  連通部
４１  連通ダンパー（開閉部）
４３  第一ダンパー（第一流量調整部、案内部）
４３ａ  一端
４３ｂ  他端
４５  第二ダンパー（第二流量調整部）
５０  制御装置
５２  メモリ
５３  記憶装置
５４  制御処理部
５６  運転状態判定部
５７  開閉制御部（制御部）
５８、５９  センサ（検知部）
５３１  演算プログラム記憶部
５３２  ＯＳプログラム記憶部
５３３  支援情報記憶部
Ｗ１  風
Ｗ２  風
Ｗ２’  風
【図１】
2020134074.tif 000003
【図２】
2020134074.tif 000004
【図３】
2020134074.tif 000005
【図４】
2020134074.tif 000006
【図５】
2020134074.tif 000007
【図６】
2020134074.tif 000008